【手続補正書】
【提出日】平成22年10月12日(2010.10.12)
【手続補正１】
【補正対象書類名】特許請求の範囲
【補正対象項目名】全文
【補正方法】変更
【補正の内容】
【特許請求の範囲】
【請求項１】
撮像手段と、
発光手段と、
前記撮像手段により撮像された被写体を記録する時の本発光とプリ発光とで前記発光手段を複数回発光させる第１の制御手段と、
前記撮像手段及び前記発光手段を含む当該撮像装置に電源を供給するための電池と、
前記電池の残量を検出する第１の検出手段と、
前記第１の検出手段により検出された電池の残量に基づいて、前記プリ発光の発光回数を設定する設定手段と
を備えることを特徴とする撮像装置。
【請求項２】
前記撮像手段により撮像された被写体の目の状態を検出する第２の検出手段と、
前記第２の検出手段により検出された目の状態が十分赤目軽減されているか否かを判断する第１の判断手段と、
前記第１の判断手段による判断結果に基づいて、前記設定手段によるプリ発光の発光回数を制御する第２の制御手段と
を更に備えたことを特徴とする請求項１記載の撮像装置。
【請求項３】
前記発光手段により発光されたプリ発光の回数が前記発光回数となったか否かを第２の判断手段と、
前記第１の判断手段により前記目の状態が十分赤目軽減されていると判断されたか、前記第２の判断手段により発光されたプリ発光の回数が前記発光回数となったと判断されると、前記撮像手段により撮像された被写体を記録する第１の記録手段と、
前記第１の判断手段により前記目の状態が十分赤目軽減されていると判断されていないにも関わらず、前記第２の判断手段により発光されたプリ発光の回数が前記発光回数となったと判断されると、前記目の状態を赤目が軽減するように補正する補正手段と、
前記補正手段により補正された目の状態である被写体を記録する第２の記録手段と
を更に備えたことを特徴とする請求項２記載の撮像装置。
【請求項４】
前記第２の検出手段により検出された目の状態に基づいて、前記発光手段による発光量を制御する第３の制御手段を更に備え、
前記撮像手段は、前記第３の制御手段により制御された発光量に基づいて、被写体を撮像することを特徴とする請求項２記載の撮像装置。
【請求項５】
当該撮像装置の周囲の明るさを検出する第３の検出手段と、
前記第３の検出手段により検出された明るさに基づいて、前記撮像手段による撮像を制御する撮像制御手段と
を更に備えることを特徴とする請求項２記載の撮像装置。
【請求項６】
前記撮像手段により撮像された被写体の特徴データを検出する第３の検出手段と、
前記被写体の特徴データと対応付けて、前記被写体に発光すべき回数又は発光量を記録する第３の記録手段と、
前記第３の記録手段に記録されている発光の回数又は発光量に基づいて、前記設定手段によるプリ発光の発光回数を制御する第３の制御手段と
を備えることを特徴とする請求項１記載の撮像装置。
【請求項７】
前記第３の記録手段は、前記特徴データとして前記人物の顔の特徴データを記憶することを特徴とする請求項１乃至６の何れかに記載の撮像装置。
【請求項８】
撮像手段と、発光手段と、前記撮像手段及び前記発光手段を含む当該撮像装置に電源を供給するための電池とを備えた撮像装置による撮像制御方法であって、
前記撮像手段により撮像された被写体を記録する時の本発光とプリ発光とで前記発光手段を複数回発光させる制御ステップと、
前記電池の残量を検出する検出ステップと、
前記検出ステップにより検出された電池の残量に基づいて、前記プリ発光の発光回数を設定する設定ステップと
を含むことを特徴とする撮像制御方法。
【請求項９】
撮像手段と、発光手段と、前記撮像手段及び前記発光手段を含む当該撮像装置に電源を供給するための電池とを備えたコンピュータを、
前記撮像手段により撮像された被写体を記録する時の本発光とプリ発光とで前記発光手段を複数回発光させる制御手段と、
前記電池の残量を検出する検出手段と、
前記検出手段により検出された電池の残量に基づいて、前記プリ発光の発光回数を設定する設定手段
として機能させることを特徴とするプログラム。
【手続補正２】
【補正対象書類名】明細書
【補正対象項目名】発明の名称
【補正方法】変更
【補正の内容】
【発明の名称】撮像装置、撮像制御方法及びプログラム
【手続補正３】
【補正対象書類名】明細書
【補正対象項目名】０００５
【補正方法】変更
【補正の内容】
【０００５】
前記課題を解決するため請求項１記載の発明に係る撮像装置にあっては、撮像手段と、
発光手段と、前記撮像手段により撮像された被写体を記録する時の本発光とプリ発光とで前記発光手段を複数回発光させる第１の制御手段と、前記撮像手段及び前記発光手段を含む当該撮像装置に電源を供給するための電池と、前記電池の残量を検出する第１の検出手段と、前記第１の検出手段により検出された電池の残量に基づいて、前記プリ発光の発光回数を設定する設定手段とを備えることを特徴とする。
【手続補正４】
【補正対象書類名】明細書
【補正対象項目名】０００６
【補正方法】変更
【補正の内容】
【０００６】
また、請求項２記載の発明は、請求項２記載の撮像装置であって、前記撮像手段により撮像された被写体の目の状態を検出する第２の検出手段と、前記第２の検出手段により検出された目の状態が十分赤目軽減されているか否かを判断する第１の判断手段と、前記第１の判断手段による判断結果に基づいて、前記設定手段によるプリ発光の発光回数を制御する第２の制御手段とを更に備えたことを特徴とする。
【手続補正５】
【補正対象書類名】明細書
【補正対象項目名】０００７
【補正方法】変更
【補正の内容】
【０００７】
また、請求項３記載の発明は、請求項２記載の撮像装置であって、前記発光手段により発光されたプリ発光の回数が前記発光回数となったか否かを第２の判断手段と、前記第１の判断手段により前記目の状態が十分赤目軽減されていると判断されたか、前記第２の判断手段により発光されたプリ発光の回数が前記発光回数となったと判断されると、前記撮像手段により撮像された被写体を記録する第１の記録手段と、前記第１の判断手段により前記目の状態が十分赤目軽減されていると判断されていないにも関わらず、前記第２の判断手段により発光されたプリ発光の回数が前記発光回数となったと判断されると、前記目の状態を赤目が軽減するように補正する補正手段と、前記補正手段により補正された目の状態である被写体を記録する第２の記録手段とを更に備えたことを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
また、請求項４記載の発明は、請求項２記載の撮像装置であって、前記第２の検出手段により検出された目の状態に基づいて、前記発光手段による発光量を制御する第３の制御手段を更に備え、前記撮像手段は、前記第３の制御手段により制御された発光量に基づいて、被写体を撮像することを特徴とする。
【手続補正１４】
【補正対象書類名】明細書
【補正対象項目名】００１６
【補正方法】変更
【補正の内容】
【００１６】
また、請求項５記載の発明は、請求項２記載の撮像装置であって、当該撮像装置の周囲の明るさを検出する第３の検出手段と、前記第３の検出手段により検出された明るさに基づいて、前記撮像手段による撮像を制御する撮像制御手段と、を更に備えることを特徴とする
【手続補正１５】
【補正対象書類名】明細書
【補正対象項目名】００１７
【補正方法】変更
【補正の内容】
【００１７】
また、請求項６記載の発明は、請求項１記載の撮像装置であって、前記撮像手段により撮像された被写体の特徴データを検出する第３の検出手段と、前記被写体の特徴データと対応付けて、前記被写体に発光すべき回数又は発光量を記録する第３の記録手段と、前記第３の記録手段に記録されている発光の回数又は発光量に基づいて、前記設定手段によるプリ発光の発光回数を制御する第３の制御手段と、を備えることを特徴とする。
【手続補正１６】
【補正対象書類名】明細書
【補正対象項目名】００１８
【補正方法】変更
【補正の内容】
【００１８】
また、請求項７記載の発明は、請求項１乃至６の何れかに記載の撮像装置であって、前記第３の記録手段は、前記特徴データとして前記人物の顔の特徴データを記憶することを特徴とする。
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】変更
【補正の内容】
【００２８】
また、請求項８記載の発明に係る撮像制御方法にあっては、撮像手段と、発光手段と、前記撮像手段及び前記発光手段を含む当該撮像装置に電源を供給するための電池とを備えた撮像装置による撮像制御方法であって、前記撮像手段により撮像された被写体を記録する時の本発光とプリ発光とで前記発光手段を複数回発光させる制御ステップと、前記電池の残量を検出する検出ステップと、前記検出ステップにより検出された電池の残量に基づいて、前記プリ発光の発光回数を設定する設定ステップとを含むことを特徴とする。
【手続補正２７】
【補正対象書類名】明細書
【補正対象項目名】００２９
【補正方法】変更
【補正の内容】
【００２９】
また、請求項９記載の発明に係るプログラムにあっては、撮像手段と、発光手段と、前記撮像手段及び前記発光手段を含む当該撮像装置に電源を供給するための電池と、を備えたコンピュータを、前記撮像手段により撮像された被写体を記録する時の本発光とプリ発光とで前記発光手段を複数回発光させる制御手段と、前記電池の残量を検出する検出手段と、前記検出手段により検出された電池の残量に基づいて、前記プリ発光の発光回数を設定する設定手段として機能させることを特徴とする。
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】変更
【補正の内容】
【００３３】
本発明によれば、電池の残容量を考慮した撮影が可能となる。